(57)【要約】【課題】１．施工性の向上。２．施工者が一人でも施工できる。３．作業工程数の減少。【解決手段】箱体から成る槽体１と、槽体１に開口した排水口１２と、排水口１２からの排水を下流へと排水するための排水部材２と、排水口１２と排水部材２を係止構造によって接続する接続手段と、から構成される排水口と排水部材の取付構造において、当該接続手段により、前記排水部材２を排水口１２側方向に移動させる操作のみによって排水口１２と排水部材２が水密的に接続される排水口と排水部材の取付方法又は取付構造。【選択図】図４
2015068124.tif 000002
【特許請求の範囲】
【請求項１】
箱体から成る槽体１と、
槽体１に開口した排水口１２と、
排水口１２からの排水を下流へと排水するための排水部材２と、
排水口１２と排水部材２を係止構造によって接続する接続手段と、
から構成される排水口と排水部材の取付構造において、
当該接続手段により、前記排水部材２を排水口１２側方向に移動させる操作のみによって排水口１２と排水部材２が水密的に接続される排水口と排水部材の取付方法又は取付構造。
【請求項２】
前記排水口１２側から排水部材２を引き寄せることによって、排水口１２と排水部材２を接続することを特徴とする前記請求項１に記載の排水口と排水部材の取付方法又は取付構造。
【請求項３】
前記排水口１２と排水部材２の止水を、円周方向に沿う側面方向で止水したことを特徴とする前記請求項１又は請求項２に記載の排水口と排水部材の取付方法又は取付構造。
【請求項４】
排水口１２と排水部材２の止水を、ホットメルト剤３１により止水したことを特徴とする前記請求項１乃至請求項３のいずれか一つに記載の排水口と排水部材の取付方法又は取付構造。
【請求項５】
前記接続手段を、リング体４を備えるとともに、リング体４自身が拡径又は縮径することによって、排水口１２と排水部材２を係止する構造としたことを特徴とする前記請求項１乃至請求項４のいずれか一つに記載の排水口と排水部材の取付方法又は取付構造。
【請求項６】
前記接続手段を、
前記排水口１２から下方に垂下して一体的または別体的に構成される排水栓１２２と、
排水部材２に構成される前記排水栓１２２が挿入される挿入部２１と、
前記排水栓１２２又は挿入部２１のいずれかに前記リング体４を配置させるとともに、
排水栓１２２又は挿入部２１の他方に備えられたリング体４を収納して係止する係止部２２と、
から構成したことを特徴とする前記請求項１乃至請求項５のいずれか一つに記載の排水口と排水部材の取付方法又は取付構造。
【請求項７】
前記係止部２２内で係止したリング体４の係止が解除されないよう規制する抜け止め防止ストッパーを構成したことを特徴とする前記請求項６に記載の排水口と排水部材の取付方法又は取付構造。
【請求項８】
前記接続手段を、
前記排水口１２から下方に垂下して一体的または別体的に構成される排水栓１２２と、
該排水栓１２２の外周から外側方向に飛び出して一体的又は別体的に構成される鍔部と、
前記排水部材２上端に外周方向に飛び出して構成されるフランジ部２１２と、
前記鍔部とフランジ部２１２の両者を挟持させて接続させるように、排水部材２又は排水口１２に配置させた前記リング体４と、
から構成したことを特徴とする前記請求項１乃至請求項５のいずれか一つに記載の排水口と排水部材の取付方法又は取付構造。
【請求項９】
前記接続手段を、
前記排水口１２から下方に垂下して一体的または別体的に構成される排水栓１２２と、
該排水栓１２２の外周から外側方向に飛び出して一体的又は別体的に構成される鍔部と、
排水部材２の側面に開口された開口部２１３と、
常時係止方向に付勢されるとともに、前記開口部２１３に配置している係合爪部５１と、
から構成したことを特徴とする前記請求項１乃至請求項４のいずれか一つに記載の排水口と排水部材の取付方法又は取付構造。
【請求項１０】
前記接続手段において、ボタン部５を構成すると共に、ボタン操作のみで係止構造の解除が可能であることを特徴とする前記請求項１乃至請求項９のいずれか一つに記載の排水口と排水部材の取付方法又は取付構造。
【発明の詳細な説明】
【技術分野】
【０００１】
本発明は、洗面台や槽体の排水口と、排水管や排水トラップ、排水器、等の排水部材の取付方法又は取付構造に関するものである。
【背景技術】
【０００２】
従来よく知られた排水口と排水トラップの取付構造は、例えば図１６に示した物がある。この排水口と排水トラップの取付構造は、槽体と、排水口と、排水栓と、排水部材である排水トラップと、から構成されている。
槽体は、箱体であって、底部に後述する排水口を開口している。尚、本従来例では当該槽体を浴室の浴槽として使用される。
排水口は、槽体底部に開口された孔であって、槽体内に貯水された排水を槽体外へと排水するための開口である。
排水栓は、排水口に取り付けられる筒体状の部材であって、上端に外側方向に向かって飛び出す鍔が構成され、更に筒体の外周には雄ねじを螺設して構成する。
排水部材としての排水トラップは、内部に封水と呼ばれる排水の一部を貯水し、下水からの臭気や害虫を室内側へと逆流させないように配置する部材である。この排水トラップは、箱体形状であって、上面に前記排水栓が挿入され尚かつ排水が排水トラップ内に流入するための挿入部を構成している。この挿入部は円形状の孔であって、その内周面に前記排水栓の雄ねじと螺合する雌ねじを構成している。また、排水トラップは、内部に封水を貯水するために、底面を壁状に隆起させて構成した封水上限壁と、挿入部から壁状に垂下して構成する封水下限壁を構成する。この封水上限壁と封水下限壁によって封水は形成され、当該封水により下水からの臭気や害虫を室内側へと逆流させない。また、箱体の封水下限壁より下流側面には、排水トラップ内の排水を排水トラップ外へと排水するための排出口を構成している。また、この排出口には排水管が接続され、この排水管は最終的には下水管へと配管される。（特許文献１）
【０００３】
前記した従来の排水口と排水部材の取付方法又は取付構造は、２通りの施工方法がある。まず最初に、一つ目の施工方法を記載する。
まず、浴室に洗い場パンを浴室に設置し、洗い場パンの横に配置される槽体設置スペース内に槽体用の排水トラップを予め下水管に接続する。そして、排水トラップの挿入部の直上に槽体の排水口が位置するように槽体を浴室に設置する。洗い場パンには施工用の点検口が構成されており、当該点検口から施工者が槽体裏面まで潜り込む。また、もう一人の施工者が、槽体の排水口に排水栓を取り付ける為、排水口に排水栓を挿入し、排水栓の鍔を水密部材を介して排水口に係止させる。そして、槽体の裏面（底面）側の排水口から飛び出た排水栓の雄ねじ部分に、水密部材を介して槽体の裏面側の施工者が排水トラップの挿入部を差し込み、排水トラップが共廻りしないように固定しておく。そして排水口を槽体の上面側からもう一人の施工者が槽体上方から排水栓を回転させることで排水栓の雄ねじと排水トラップの挿入部の雌ねじをねじ螺合する。このとき、槽体自体は箱体で大きいこと、ネジの締め付けは一方の部材を回転させたときに他方の部材が供回りすることを防止するために一方の部材を固定しないとおけないこと、の２点から施工者は一人でネジをしめることはできない。よって、本実施例のように施工を施す場合には、排水栓又は排水トラップのいずれか一方を固定する為の施工者と、排水栓又は排水トラップのいずれか一方を回転させる為の施工者の二人が必要になってくる。
また、排水栓と排水トラップが槽体に取付固定されると、槽体下に潜り込んでいた施工者は洗い場パンの点検口から出てくる。そして、点検口を水密的に密閉することで従来例の排水口と排水トラップの取付構造の施工は完了する。
【０００４】
次に、従来の排水口と排水部材の取付方法又は取付構造の２つ目の施工方法を記載する。
まず、浴室に洗い場パンを浴室に設置し、洗い場パンの横に配置される槽体設置スペース内に槽体用の排水トラップを予め下水管に接続する。そして、排水トラップの挿入部の直上に槽体の排水口が位置するように槽体を浴室に設置する。そして、槽体の排水口に排水栓を差し込み、排水栓の鍔を水密部材を介して排水口に係止させ、施工者が槽体の上方から先端が鉤状になっている棒状の治具を排水栓内に差し込み、槽体の排水口直下に位置している排水トラップの挿入部に治具を引っかける。そして、そのまま施工者が治具を介して排水トラップを上方に引き上げて、排水栓の雄ねじを水密部材を介して排水トラップの挿入部に差し込む。そして、施工者が片手で治具を引き上げた状態のまま維持しておき、もう一方の片手で排水栓を回転させる。そうすると排水栓の雄ねじと排水トラップの挿入部の雌ねじが螺合する。このようにして、排水栓と排水トラップの締め付け固定が終了すると、排水トラップは槽体の排水口に強固に取付固定することができる。この取付が終了すると、施工者は排水栓より治具を引き上げ、施工は完了する。
【０００５】
本従来例の排水口と排水トラップの取付構造は、以下のように排水が流れる。
洗い場パン上で発生した排水は、洗い場パンの排水口から洗い場パンの排水口に取り付けられた排水トラップから下水管へと排水される。
また、槽体である槽体内の排水は、排水口に取り付けられた排水栓を介して排水トラップ内へ流入する。排水トラップ内に排水された排水は、封水下限壁を介して封水を通り、封水上限壁まで到達し、封水上限壁から溢れた排水が、排水トラップの排出口から排水トラップ外へと排水される。また、排水トラップ外へと排水された排水は、排水管を介して最終的には下水管へと排水されることとなる。また、当該封水下限壁の最下端と、封水上限壁の最上端までの高さの貯水された排水が封水深であり、当該封水深により、下水からの臭気や害虫が室内側へと逆流することを防止している。
【先行技術文献】
【特許文献】
【０００６】
【特許文献１】特許第３１６８４０１号
【発明の概要】
【発明が解決しようとする課題】
【０００７】
前記した特許文献１排水口と排水部材の取付方法又は取付構造では以下のような問題点があった。
まず、段落０００３に記載した施工方法を採用すると、排水栓と排水トラップの接続手段をネジ螺合により行っていることから、排水栓若しくは排水トラップのいずれかを固定しておかないと、ネジ螺合した際に、排水栓と排水トラップのいずれかが供回りしてしまい、ネジ螺合できなくなる。また、特に浴室等に設置する槽体や、防水パン等においては、取り付ける槽体や防水パン自体が非常に大きく、一人施工で手を回して部材を共回りしないように固定しようとしても手が回らない。従って、施工者が二人必要になる。
また、このような施工方法であると、施工者が槽体の下に潜り込まなければならないことから、洗い場パンに点検口が必要になる。
また、槽体下の暗くて狭い空間に一人の施工者は潜り込まなければならないから非常に危険な作業であった。
また、段落０００４に記載した施工方法を採用すると、一人では施工できるものの、槽体内の狭い空間で排水栓の回転作業や、片手がふさがったままでのネジ螺合作業を行わなければ成らず、非常に施工しづらかった。また、排水栓と排水トラップ間の漏水は特に集合住宅等では下層の住居に多大な悪影響が発生するため、絶対に防止しなければならない。よって排水栓と排水管のネジ螺合による接続はトルク管理で厳密に管理しなければならず、トルクレンチ等でネジ締めをしなくては成らない。しかし、前述のように、狭い槽体の内部で一人の施工者が治具を引き上げつつトルクレンチでトルク管理することは非常に困難であるし、施工不良となる一因となっていた。
【０００８】
以上のことから、本願発明は以下の課題を解決する。
１．施工性の向上
２．施工者が一人でも施工できる
３．作業工程数の減少
【課題を解決するための手段】
【０００９】
請求項１に記載の排水口と排水部材の取付方法又は取付構造は、箱体から成る槽体１と、槽体１に開口した排水口１２と、排水口１２からの排水を下流へと排水するための排水部材２と、排水口１２と排水部材２を係止構造によって接続する接続手段と、から構成される排水口と排水部材の取付構造において、当該接続手段により、前記排水部材２を排水口１２側方向に移動させる操作のみによって排水口１２と排水部材２が水密的に接続される排水口と排水部材の取付方法又は取付構造である。
【００１０】
請求項２に記載の排水口と排水部材の取付方法又は取付構造は、前記排水口１２側から排水部材２を引き寄せることによって、排水口１２と排水部材２を接続することを特徴とする前記段落０００９に記載の排水口と排水部材の取付方法又は取付構造である。
【００１１】
請求項３に記載の排水口と排水部材の取付方法又は取付構造は、前記排水口１２と排水部材２の止水を、円周方向に沿う側面方向で止水したことを特徴とする前記段落０００９又は段落００１０に記載の排水口と排水部材の取付方法又は取付構造である。
【００１２】
請求項４に記載の排水口と排水部材の取付方法又は取付構造は、排水口１２と排水部材２の止水を、ホットメルト剤３１により止水したことを特徴とする前記段落０００９乃至段落００１１のいずれか一つに記載の排水口と排水部材の取付方法又は取付構造である。
【００１３】
請求項５に記載の排水口と排水部材の取付方法又は取付構造は、前記接続手段を、リング体４を備えるとともに、リング体４自身が拡径又は縮径することによって、排水口１２と排水部材２を係止する構造としたことを特徴とする前記段落０００９乃至段落００１２のいずれか一つに記載の排水口と排水部材の取付方法又は取付構造である。
【００１４】
請求項６に記載の排水口と排水部材の取付方法又は取付構造は、前記接続手段を、前記排水口１２から下方に垂下して一体的または別体的に構成される排水栓１２２と、排水部材２に構成される前記排水栓１２２が挿入される挿入部２１と、前記排水栓１２２又は挿入部２１のいずれかに前記リング体４を配置させるとともに、排水栓１２２又は挿入部２１の他方に備えられたリング体４を収納して係止する係止部２２と、から構成したことを特徴とする前記段落０００９乃至段落００１３のいずれか一つに記載の排水口と排水部材の取付方法又は取付構造である。
【００１５】
請求項７に記載の排水口と排水部材の取付方法又は取付構造は、前記係止部２２内で係止したリング体４の係止が解除されないよう規制する抜け止め防止ストッパーを構成したことを特徴とする前記段落００１４に記載の排水口と排水部材の取付方法又は取付構造である。
【００１６】
請求項８に記載の排水口と排水部材の取付方法又は取付構造は、前記接続手段を、前記排水口１２から下方に垂下して一体的または別体的に構成される排水栓１２２と、該排水栓１２２の外周から外側方向に飛び出して一体的又は別体的に構成される鍔部と、前記排水部材２上端に外周方向に飛び出して構成されるフランジ部２１２と、前記鍔部とフランジ部２１２の両者を挟持させて接続させるように、排水部材２又は排水口１２に配置させた前記リング体４と、から構成したことを特徴とする前記段落０００９乃至段落００１３のいずれか一つに記載の排水口と排水部材の取付方法又は取付構造である。
【００１７】
請求項９に記載の排水口と排水部材の取付方法又は取付構造は、前記接続手段を、前記排水口１２から下方に垂下して一体的または別体的に構成される排水栓１２２と、該排水栓１２２の外周から外側方向に飛び出して一体的又は別体的に構成される鍔部と、排水部材２の側面に開口された開口部２１３と、常時係止方向に付勢されるとともに、前記開口部２１３に配置している係合爪部５１と、から構成したことを特徴とする前記段落０００９乃至段落００１２のいずれか一つに記載の排水口と排水部材の取付方法又は取付構造である。
【００１８】
請求項１０に記載の排水口と排水部材の取付方法又は取付構造は、前記接続手段において、ボタン部５を構成すると共に、ボタン操作のみで係止構造の解除が可能であることを特徴とする前記段落０００９乃至段落００１７のいずれか一つに記載の排水口と排水部材の取付方法又は取付構造である。
【発明の効果】
【００１９】
請求項１に記載の本発明は、排水口１２と排水部材２を係止構造によって接続する接続手段を備えると共に、排水部材２を排水口１２側方向に移動させる操作のみによって、排水口１２と排水部材２が水密的に接続できるため、槽体下で排水部材２を固定して排水栓１２２を回転させる必要が無く、単に排水口１２から治具で排水部材２を引き上げるのみで排水部材２と排水口１２を水密的に接続することができるようになった。従って施工者も一人で施工することができる。また、排水部材２を排水口１２側へ移動操作のみで施工できるので、排水部材２の取付にはトルク管理が不要となった。従って、施工方法が簡略化することができる。
請求項２に記載の本発明は、排水口１２側から排水部材２を引き寄せることによって、排水口１２と排水部材２を接続するので、排水部材２の取付にはトルク管理が不要となり、施工の簡略化となる。
請求項３に記載の本発明は、排水口１２と排水部材２の止水を、円周方向に沿う側面方向で止水したことにより、高さ方向に止水構造を構成したものより、高さ方向分のパッキンの厚みを側面方向に配置することでパッキン分の高さを低くすることができる。また、高さ方向にパッキンを配置した場合には、ネジ螺合等で水密化が図れる強度まで、部材間に応力を加えて当接する応力を高める必要があるが、側面方向の止水であれば、側面方向の部材間の隙間を設定するのみで高い止水性を備えることができる。
請求項４に記載の本発明は、排水口１２と排水部材２の止水を、ホットメルト剤３１により止水したことにより、通常の軟質のパッキン部材と比較して軽い応力で部材間の水密化、防水を図ることができる。また、ホットメルト剤３１自身も接着性能を有しているので、リング体４による接続手段とあわせることにより排水口１２と排水部材２の接続の強度を増やすことができるようになった。
請求項５に記載の本発明は、リング体４を備えるとともに、リング体４自身が拡径又は縮径することによって、排水口１２と排水部材２を係止する構造としたことから、簡単な構造且つ、部材点数が少ない構造で形成することが出来、さらに、簡単に係止することができるので、単に排水口１２から治具で排水部材２を引き上げるのみで排水部材２と排水口１２を水密的に接続することができるようになった。
請求項６に記載の本発明は、接続手段を、前記排水口１２から下方に垂下して一体的または別体的に構成される排水栓１２２と、排水部材２に構成される前記排水栓１２２が挿入される挿入部２１と、前記排水栓１２２又は挿入部２１のいずれかに前記リング体４を配置させるとともに、排水栓１２２又は挿入部２１の他方に備えられたリング体４を収納して係止する係止部２２と、から構成したことにより、単に排水口１２から治具で排水部材２を引き上げるのみで排水部材２と排水口１２を水密的に接続することができるようになった。従って施工者も一人で施工することができる。また、排水部材２を排水口１２側へ移動操作のみで施工できるので、排水部材２の取付にはトルク管理が不要となった。従って、施工方法が簡略化することができる。
請求項７に記載の本発明は、前記係止部２２内で係止したリング体４の係止が解除されないよう規制する抜け止め防止ストッパーを構成したことから、リング体４の係合が外れることはない。仮に、リング体４の解除を行いたい場合は、抜け止めストッパー７を外すことにより簡単にリング体４の係合が解除されることとなる。
請求項８に記載の本発明は、前記接続手段を、前記排水口１２から下方に垂下して一体的または別体的に構成される排水栓１２２と、該排水栓１２２の外周から外側方向に飛び出して一体的又は別体的に構成される鍔部１３と、前記排水部材２上端に外周方向に飛び出して構成されるフランジ部２１２と、前記鍔部１３とフランジ部２１２の両者を挟持させて接続させるように、排水部材２又は排水口１２に配置させた前記リング体４と、から構成したことから、特に排水栓１２２に切り欠き部１２３を構成しなくてもリング体４を配置構成することができる。また、単に排水口１２から治具で排水部材２を引き上げるのみで排水部材２と排水口１２を水密的に接続することができるようになった。従って施工者も一人で施工することができる。また、排水部材２を排水口１２側へ移動操作のみで施工できるので、排水部材２の取付にはトルク管理が不要となった。従って、施工方法が簡略化することができる。
請求項９に記載の本発明は、前記接続手段を、前記排水口１２から下方に垂下して一体的または別体的に構成される排水栓１２２と、該排水栓１２２の外周から外側方向に飛び出して一体的又は別体的に構成される鍔部１３と、排水部材２の側面に開口された開口部２１３と、常時係止方向に付勢されるとともに、前記開口窓に配置している係合爪部５１と、から構成したことにより、単に排水口１２から治具で排水部材２を引き上げるのみで排水部材２と排水口１２を水密的に接続することができるようになった。従って施工者も一人で施工することができる。また、排水部材２を排水口１２側へ移動操作のみで施工できるので、排水部材２の取付にはトルク管理が不要となった。従って、施工方法が簡略化することができる。
請求項１０の本発明は、前記接続手段において、ボタン部５を構成すると共に、当該ボタン部５をボタン操作のみで係止構造の解除が可能であることより、一度接続した接続手段をメンテナンスや掃除の際に簡単に解除することができる。
【図面の簡単な説明】
【００２０】
【図１】実施例１の施工状態を示す断面図である。
【図２】実施例１の施工状態を示す断面図である。
【図３】実施例１の施工状態を示す断面図である。
【図４】実施例１の施工状態を示す断面図である。
【図５】実施例２の施工状態を示す断面図である。
【図６】実施例２の施工状態を示す断面図である。
【図７】実施例２の施工状態を示す断面図である。
【図８】実施例２の施工状態を示す断面図である。
【図９】実施例３の施工状態を示す断面図である。
【図１０】実施例３の施工状態を示す断面図である。
【図１１】実施例３の施工状態を示す断面図である。
【図１２】実施例３の施工状態を示す断面図である。
【図１３】実施例４の施工状態を示す断面図である。
【図１４】実施例４の施工状態を示す断面図である。
【図１５】実施例４の施工状態を示す断面図である。
【図１６】従来例を示す断面図である。
【発明を実施するための形態】
【実施例１】
【００２１】
本実施例の排水口と排水部材の取付方法又は取付構造は、浴室の浴槽用排水トラップに使用される。
本発明が採用される浴室は、図１乃至図４に示されるように、槽体１と、洗い場パンと、から構成され、洗い場パンは槽体１の横に載置されている。洗い場パンは、底部に開口を構成し、当該開口にトラップ機能を有した排水装置を取付けているから、洗い場上に発生した排水は洗い場パンの開口より排水装置へと排水され、最終的には下水管へと排水される。また、排水口１２に配置された弁体を遠隔的に操作して開閉する遠隔操作式排水栓装置を備える。
また、この浴室に採用される本発明の排水口と排水部材の取付方法又は取付構造は、槽体１と、排水口１２と、排水栓１２２と、排水部材２である排水トラップ２と、リング体４と、抜け止めストッパー７と、水密部材３２と、から構成されている。
槽体１は、箱体であって、底部に後述する排水口１２を開口している。尚、本実施例では当該槽体１を浴室の浴槽として使用される。
排水口１２は、槽体１底部に開口された孔であって、槽体１内に貯水された排水を槽体１外へと排水するための開口である。
排水栓１２２は、排水口１２に取り付けられる筒体状の部材であって、上端に外側方向に向かって飛び出す鍔が構成され、更に筒体の外周には雄ねじを螺設して構成する。また、排水栓１２２の下方には、切り欠き部１２３が構成されており、当該切り欠き部１２３には、後述するリング体４が配置される。当該排水栓１２２は、排水口１２に鍔を係止させて、ナット部材によって排水口１２を介して槽体１排水口１２に取り付けられている。そして、排水栓１２２内周には、後述する抜け止めストッパー７が係合する凸条を構成している。
排水部材２としての排水トラップ２は、内部に封水と呼ばれる排水の一部を貯水し、下水からの臭気や害虫を室内側へと逆流させないように配置する部材である。この排水トラップ２は、箱体形状であって、上面に前記排水栓１２２が挿入され尚かつ排水が排水トラップ２内に流入するための挿入部２１と、挿入部２１の下流に構成される、挿入部２１の径より大径に構成された係止部２２を構成している。
挿入部２１は円形状の孔であって、その内周面に前記排水栓１２２の雄ねじと螺合する雌ねじを構成している。また、挿入部２１は、後述するリング体４の応力が加わっていない際の外径より小径に構成されている。
係止部２２は、前記挿入部２１より下流に構成され、且つ、挿入部２１の口径より大径に構成された、後述するリング体４を係止且つ収納する箇所である。
また、排水トラップ２は、内部に封水を貯水するために、底面を壁状に隆起させて構成した封水上限壁２３と、挿入部２１から壁状に垂下して構成する封水下限壁２４を構成する。この封水上限壁２３と封水下限壁２４によって封水は形成され、当該封水により下水からの臭気や害虫を室内側へと逆流させない。また、箱体の封水下限壁２４より下流側面には、排水トラップ２内の排水を排水トラップ２外へと排水するための排出口２５を構成している。また、この排出口２５には排水管が接続され、この排水管は最終的には下水管へと配管される。
リング体４は、上面視Ｃ字状のリングであって、前記排水栓１２２の切り欠き部１２３に配置される。材質は金属製や合成樹脂製が望ましい。本実施例では合成樹脂製を採用している。また、リング体４には、下端面から斜め上方向に向かって傾斜する傾斜面４１を構成する。当該リング体４は排水栓１２２が挿入部２１に挿入された際に、挿入部２１がリング体４の傾斜面４１に当接し、当該当接の応力により中心方向に向かって縮径する。また、排水栓１２２が挿入部２１より下流に構成された係止部２２に到達した際にはリング体４の縮径方向の力が開放されて、外側方向に拡径する。そして、当該リング体４が排水部材２の係止部２２に係止する。
抜け止めストッパー７は、リング体４が係止部２２で拡径した際に、何らかの応力で中心方向に縮径して排水口１２と排水部材２の接続が解除されてしまうことを防止するために使用する部材であって、本実施例では、排水栓１２２内周と略同径の外形を有した円筒状の部材である。また、本実施例では、上記した遠隔操作式排水栓装置のワイヤー受け部材と兼用している。当該ワイヤー受け部材は、遠隔操作式排水栓置のレリースワイヤ６を排水栓１２２中心部に配置させるための軸受けである。また、抜け止めストッパー７下端には、排水栓１２２内周に構成された凸条に係合するための係合脚を構成する。抜け止めストッパー７は、排水栓１２２に脱着自在に取り付けられる。
水密部材３２は、排水栓１２２と排水部材２間を水密的に封止する部材であって、材質は軟質のゴム等から構成される。また、当該水密部材３２は、断面視Ｙ字上に構成され、排水栓１２２を鍔部１３外周の円周上に沿うようにＹ字状に取り付けられて、排水部材２の挿入部２１内周面に水密部材３２の外周面が当接し、排水栓１２２と排水部材２の間を強固にシールすることができる。また、側面方向で水密部材３２は止水するので、平面方向に止水部材を配置するよりも、パッキン分の高さ方向を低くすることができる為低床に対応できる。平面方向に水密パッキンを配置すると部材間に配置する関係上、上下方向からの当接の応力がある程度必要となる為、ネジ螺合であるとトルク管理が必要であるが、側面方向に水密パッキンを配置すると、側面方向の部材間の隙間を設定するのみで高い止水性を備えることができるので、水密パッキンの止水のためのトルク管理が不要になる。また、水密パッキンの形状をＹ字状にしているので、施工時にＹの端部が挿入部２１の内周に弾性的に当接するので、より良好な水密を保つことができる。
【００２２】
本実施例の排水口と排水部材の取付方法又は取付構造は以下の手順で施工される。
まず、浴室に洗い場パンを浴室に設置し、洗い場パンの横に配置される槽体１設置スペース内で槽体１用の排水トラップ２を下水管に接続する。また、予め槽体１の排水口１２に上方から排水栓１２２を差し込み、排水栓１２２の鍔を水密部材３２を介して排水口１２に係止させ、槽体１裏面からナットを排水栓１２２外周の雄ねじに螺合させて、槽体１に排水栓１２２を取付固定しておく。また、当該排水栓１２２の切り欠き部１２３にリング体４を取り付けておく。
そして、図１に示すように、排水トラップ２の挿入部２１の直上に槽体１の排水口１２が位置するように槽体１を浴室の洗い場パンの横に設置する。そして、施工者が槽体１の上方から先端が鉤状になっている棒状の治具を排水栓１２２内に差し込み、槽体１の排水口１２直下に位置している排水トラップ２の内部に治具を引っかける。そして、そのまま施工者が治具を介して排水トラップ２を上方に引き上げると、排水トラップ２の挿入部２１は排水栓１２２に配置されたリング体４より小径なので、図２に示すように、挿入部２１上端がリング体４の傾斜面４１に当接し、傾斜面４１の傾斜に沿うようにリング体４が中心方向に向かって縮径する。そのまま排水トラップ２を上方に引き上げると、図３に示すように、排水トラップ２下流の係止部２２にリング体４が到達し、係止部２２は挿入部２１より大径に構成されているので、挿入部２１を通過中はその応力により縮径していたリング体４が係止部２２内で開放され、外側方向に向かって拡径する。すると、係止部２２にてリング体４が拡径したことにより排水トラップ２の係止部２２にリング体４が係止されるので、排水トラップ２は排水栓１２２に係止接続される。そして施工者は治具を排水栓１２２より取り出し、遠隔操作式排水栓装置の施工を行う。遠隔操作式排水栓装置のレリースワイヤ６を排水トラップ２を介して排水口１２より引き上げ、ワイヤー受け部材として機能する抜け止めストッパー７にワイヤーを接続する。そして、図４に示すように、そのまま抜け止めストッパー７の係合脚を排水栓１２２内の凸条に係合させ取り付ける。こうすると、排水栓１２２の切り欠き部１２３を排水栓１２２内周から覆うため、リング体４がそれ以上縮径することができなくなり、リング体４の係止状態を保持することができるものである。また、当該抜け止めストッパー７はレリースワイヤ６の軸受けとしても機能する為、抜け止めストッパー７を排水栓１２２に取り付けるとレリースワイヤ６の端部が排水栓１２２の中心部に配置することができ、そのままレリースワイヤ６の端部に遠隔操作式排水栓装置の弁体を取り付ける。このようにして施工は完了する。
【００２３】
また、上記実施例の排水口と排水部材の取付方法又は取付構造は、以下のような排水の流れとなる。
洗い場パン上に排水が発生した場合には、洗い場の開口から洗い場パンの排水装置内に排水され、排水装置内の排水は排水管を介して最終的には下水管へと排水される。
槽体１内に貯水した排水を排水する際には、排水栓１２２に着座している弁体を遠隔的に開口させると排水口１２が開口し、排水栓１２２、排水口１２を介して槽体１外へと排水される。槽体１外へと排水された排水は、排水部材２の挿入部２１から係止部２２を介して排水部材２内に流入し、排水トラップ２である排水部材２の封水下限壁２４を通過し、封水上限壁２３を乗り越えて、排水部材２の排出口２５より排水トラップ２外へと排水され、最終的には下水管へと排水される。また、排水部材２が排水トラップ２であるので、下水からの臭気や害虫が室内側へと逆流することはない。
【実施例２】
【００２４】
以下に第二実施例の排水口と排水部材の取付方法及び取付構造の実施例を、図面を参照しつつ説明する。
本実施例造は、浴室の浴槽用排水トラップに使用される。
本発明が採用される浴室は、図５乃至図８に示すように、槽体１と、洗い場パンと、から構成され、洗い場パンは槽体１の横に載置されている。洗い場パンは、底部に開口を構成し、当該開口にトラップ機能を有した排水装置を取付けているから、洗い場上に発生した排水は洗い場パンの開口より排水装置へと排水され、最終的には下水管へと排水される。また、排水口１２に配置された弁体を遠隔的に操作して開閉する遠隔操作式排水栓装置を備える。
また、この浴室に採用される本発明の排水口と排水部材の取付方法又は取付構造は、槽体１と、排水口１２と、排水栓１２２と、排水部材２である排水トラップ２と、リング体４と、から構成されている。
槽体１は、箱体であって、底部に後述する排水口１２を開口している。尚、本実施例では当該槽体１を浴室の浴槽として使用される。
排水口１２は、槽体１底部に開口された孔であって、槽体１内に貯水された排水を槽体１外へと排水するための開口である。
排水栓１２２は、排水口１２に取り付けられる筒体状の部材であって、上端に外側方向に向かって飛び出す鍔が構成され、更に筒体の外周には雄ねじを螺設して構成する。また、排水栓１２２にはリング状であって、内周に排水栓１２２の雄ねじに螺合する雌ねじが螺設され、上端には外側方向に向かって突出した鍔が構成される鍔部１３を備える。この鍔部１３は、排水栓１２２の鍔と鍔部１３の鍔によって排水口１２を挟持することで、排水栓１２２を槽体１の排水口１２に取り付けることができるものである。尚、本実施例では鍔部１３は排水栓１２２や排水口１２と別部材で構成しているが、これらを一体的に構成してもかまわない。
また、鍔部１３下端から下方に垂下して脚状に構成される抜け止めツメ１３３が一体的に複数構成されている。この抜け止めツメ１３３は、弾性を有したツメ状部材であって、排水トラップ２の挿入部２１に係合する。この抜け止めツメ１３３により、排水部材２と排水口１２の接続が排水等の荷重により脱落・接続解除されたとしても、当該抜け止めツメ１３３が構成されていれば、抜け止めツメ１３３が排水部材２と係合しているから脱落するようなことはない。また、この抜け止めツメ１３３は排水栓１２２に構成しても構わない。
排水部材２としての排水トラップ２は、内部に封水と呼ばれる排水の一部を貯水し、下水からの臭気や害虫を室内側へと逆流させないように配置する部材である。この排水トラップ２は、箱体形状であって、上面に前記排水栓１２２が挿入され尚かつ排水が排水トラップ２内に流入するための挿入部２１が形成され、当該挿入部２１上端には外側方向に向かって突出するフランジ部２１２を構成する。また、挿入部２１のフランジ部２１２には、フランジ部２１２と鍔部１３の水密を保持するための水密部材（後述）であるホットメルト接着剤が塗布される為の凹溝が刻設されている。
また、排水トラップ２は、内部に封水を貯水するために、底面を壁状に隆起させて構成した封水上限壁２３と、挿入部２１から壁状に垂下して構成する封水下限壁２４を構成する。この封水上限壁２３と封水下限壁２４によって封水は形成され、当該封水により下水からの臭気や害虫を室内側へと逆流させない。また、箱体の封水下限壁２４より下流側面には、排水トラップ２内の排水を排水トラップ２外へと排水するための排出口２５を構成している。また、この排出口２５には排水管が接続され、この排水管は最終的には下水管へと配管される。
リング体４は、上面視Ｃ字状のリングであって、接続前は挿入部２１のフランジ部２１２の下方に配置されている。また、断面視コ字状になっており、排水栓１２２の鍔部１３と挿入部２１のフランジ部２１２を覆うように挟持固定する。材質は金属製や合成樹脂製が望ましい。本実施例では合成樹脂製を採用している。また、リング体４は、上端面から斜め下方向に向かって傾斜する傾斜面４１を構成する。当該リング体４は排水栓１２２が挿入部２１に挿入された際に、排水栓１２２に取り付けられている鍔部１３がリング体４の傾斜面４１に当接し、当該当接の応力により中心方向に向かってリング体４のコ字状の上端部分が拡径する。また、リング体４のコ字状の上端部分が鍔部１３を通過すると、リング体４のコ字状の上端部分が縮径し、結果的に排水栓１２２の鍔部１３と挿入部２１のフランジ部２１２をリング体４によって挟持することができる。
水密部材は、排水栓１２２と排水部材２間を水密的に封止する部材であって、本実施例ではホットメルト剤３１から成る。このホットメルト剤３１とは、防水を要求される対象物を粘土状・ゲル状のホットメルト樹脂を用いて止水するものである。たとえば電子回路装置などは高い防水信頼性を要求されており、このため、防水を要求される対象物の外表面をホットメルト樹脂により被覆して防水するホットメルト剤３１による止水構造が知られている。このようなホットメルト剤３１を、挿入部２１のフランジ部２１２に構成したフランジ部２１２に予め塗布しておくことで、挿入部２１のフランジ部２１２と排水栓１２２の鍔部１３が対峙した際に、フランジ部２１２側のホットメルト剤３１が鍔部１３に良好に当接し、防水すると共に接着効果も奏する。また、鍔部１３のホットメルト剤３１が接着する該当個所に凸部を構成しているので、より良好な水密を保つことができる。
【００２５】
本実施例の排水口と排水部材２の取付方法又は取付構造は以下の手順で施工される。
まず、浴室に洗い場パンを浴室に設置し、洗い場パンの横に配置される槽体１設置スペース内で槽体１用の排水トラップ２を下水管に接続する。また、予め槽体１の排水口１２に上方から排水栓１２２を差し込み、排水栓１２２の鍔を水密部材を介して排水口１２に係止させ、槽体１裏面から鍔部１３の雌ねじを排水栓１２２外周の雄ねじに螺合させて、槽体１に排水栓１２２を取付固定しておく。また、排水トラップ２である排水部材２のフランジ部２１２下方にリング体４を取り付けておく。
そして、図５に示すように、排水トラップ２の挿入部２１の直上に槽体１の排水口１２が位置するように槽体１を浴室の洗い場パンの横に設置する。そして、施工者が槽体１の上方から先端が鉤状になっている棒状の治具を排水栓１２２内に差し込み、槽体１の排水口１２直下に位置している排水トラップ２の内部に治具を引っかける。そして、図６に示すように、そのまま施工者が治具を介して排水トラップ２を上方に引き上げる（引き寄せる）と、排水トラップ２の挿入部２１に取り付けられたリング体４の傾斜面４１が、排水栓１２２の鍔部１３に当接し、リング体４のコ字状の上部分が傾斜面４１に沿って拡径することとなる。そのまま排水トラップ２を引き上げると、図７に示すように、リング体４の上部が鍔部１３を通過し、通過しきるとリング体４の上部が縮径する。そうすると、排水栓１２２の鍔部１３と挿入部２１のフランジ部２１２が対峙した形でリング体４により挟持することができる。また、排水栓１２２の鍔部１３と挿入部２１のフランジ部２１２の間はホットメルト剤３１により水密化・防水されているとともに、鍔部１３とフランジ部２１２を接着することとなる。また、鍔部１３とフランジ部２１２間に、水密部材３２として周面方向に配置した水密パッキンも配置している。この状態において排水口１２に取り付けられた排水栓１２２と排水部材２である排水トラップ２は強固且つ水密的に接続されることとなる。また、この施工完了時には、鍔部１３に構成した抜け止めツメ１３３が排水トラップ２の挿入部２１内周に構成したリブに係合するので、仮に接続手段が解除されたとしても排水トラップ２が脱落するようなことがない。
そして、施工者は治具を排水栓１２２より取り出し、図８に示すように、遠隔操作式排水栓装置の施工を行う。遠隔操作式排水栓装置のレリースワイヤ６を排水トラップ２を介して排水口１２より引き上げ、ワイヤー受け部材を接続する。当該ワイヤー受け部材を排水栓１２２に取付けると、レリースワイヤ６の端部が排水栓１２２の中心部に配置することができ、そのままレリースワイヤ６の端部に遠隔操作式排水栓装置の弁体を取り付ける。このようにして施工は完了する。
【００２６】
また、上記実施例の排水口と排水部材の取付方法又は取付構造は、以下のような排水の流れとなる。
洗い場パン上に排水が発生した場合には、洗い場の開口から洗い場パンの排水装置内に排水され、排水装置内の排水は排水管を介して最終的には下水管へと排水される。
槽体１内に貯水した排水を排水する際には、排水栓１２２に着座している弁体を遠隔的に開口させると排水口１２が開口し、排水栓１２２、排水口１２を介して槽体１外へと排水される。槽体１外へと排水された排水は、排水部材２の挿入部２１から排水部材２内に流入し、排水トラップ２である排水部材２の封水下限壁２４を通過し、封水上限壁２３を乗り越えて、排水部材２の排出口２５より排水トラップ２外へと排水され、最終的には下水管へと排水される。また、排水部材２が排水トラップ２であるので、下水からの臭気や害虫が室内側へと逆流することはない。
【実施例３】
【００２７】
以下に第三実施例の排水口と排水部材の取付方法及び取付構造の実施例を、図面を参照しつつ説明する。
本実施例造は、浴室の浴槽の排水トラップに使用される。
本発明が採用される浴室は、図９乃至図１２に示すように、槽体１と、洗い場パンと、から構成され、洗い場パンは槽体１の横に載置されている。洗い場パンは、底部に開口を構成し、当該開口部にトラップ機能を有した排水装置を取付けているから、洗い場上に発生した排水は洗い場パンの開口より排水装置へと排水され、最終的には下水管へと排水される。また、排水口１２に配置された弁体を遠隔的に操作して開閉する遠隔操作式排水栓装置を備える。
また、この浴室に採用される本発明の排水口と排水部材の取付方法又は取付構造は、槽体１と、排水口１２と、排水栓１２２と、排水部材２である排水トラップ２と、リング体４と、から構成されている。
槽体１は、箱体であって、底部に後述する排水口１２を開口している。尚、本実施例では当該槽体１を浴室の浴槽として使用される。
排水口１２は、槽体１底部に開口された孔であって、槽体１内に貯水された排水を槽体１外へと排水するための開口である。
排水栓１２２は、排水口１２に取り付けられる筒体状の部材であって、上端に外側方向に向かって飛び出す鍔が構成され、更に筒体の外周には雄ねじを螺設して構成する。また、排水栓１２２にはリング状であって、内周に排水栓１２２の雄ねじに螺合する雌ねじが螺設され、上端には外側方向に向かって突出した鍔が構成される鍔部１３を備える。この鍔部１３は、排水栓１２２の鍔と鍔部１３の鍔によって排水口１２を挟持することで、排水栓１２２を槽体１の排水口１２に取り付けることができるものである。尚、本実施例では鍔部１３は排水栓１２２や排水口１２と別部材で構成しているが、これらを一体的に構成してもかまわない。
また、鍔部１３下端から下方に垂下して脚状に構成される抜け止めツメ１３３が一体的に複数構成されている。この抜け止めツメ１３３は、弾性を有したツメ状部材であって、排水トラップ２の挿入部２１に係合する。この抜け止めツメ１３３により、排水部材２と排水口１２の接続が排水等の荷重により脱落・接続解除されたとしても、当該抜け止めツメ１３３が構成されていれば、抜け止めツメ１３３が排水部材２と係合しているから脱落するようなことはない。また、この抜け止めツメ１３３は排水栓１２２に構成しても構わない。
排水部材２としての排水トラップ２は、内部に封水と呼ばれる排水の一部を貯水し、下水からの臭気や害虫を室内側へと逆流させないように配置する部材である。この排水トラップ２は、箱体形状であって、上面に前記排水栓１２２が挿入され尚かつ排水が排水トラップ２内に流入するための挿入部２１が形成され、当該挿入部２１上端には外側方向に向かって突出するフランジ部２１２を構成する。
また、排水トラップ２は、内部に封水を貯水するために、底面を壁状に隆起させて構成した封水上限壁２３と、挿入部２１から壁状に垂下して構成する封水下限壁２４を構成する。この封水上限壁２３と封水下限壁２４によって封水は形成され、当該封水により下水からの臭気や害虫を室内側へと逆流させない。また、箱体の封水下限壁２４より下流側面には、排水トラップ２内の排水を排水トラップ２外へと排水するための排出口２５を構成している。また、この排出口２５には排水管が接続され、この排水管は最終的には下水管へと配管される。
リング体４は、上面視Ｃ字状のリングであって、接続前は挿入部２１のフランジ部２１２の下方に配置されている。また、断面視コ字状になっており、排水栓１２２の鍔部１３と挿入部２１のフランジ部２１２を覆うように挟持固定する。材質は金属製や合成樹脂製が望ましい。本実施例では合成樹脂製を採用している。また、リング体４は、上端面から斜め下方向に向かって傾斜する傾斜面４１を構成する。当該リング体４は排水栓１２２が挿入部２１に挿入された際に、排水栓１２２に取り付けられている鍔部１３がリング体４の傾斜面４１に当接し、当該当接の応力により中心方向に向かってリング体４のコ字状の上端部分が拡径する。また、リング体４のコ字状の上端部分が鍔部１３を通過すると、リング体４のコ字状の上端部分が縮径し、結果的に排水栓１２２の鍔部１３と挿入部２１のフランジ部２１２をリング体４によって挟持することができる。
水密部材３２は、排水栓１２２と排水部材２間を水密的に封止する部材であって、材質は軟質のゴム等から構成される。また、当該水密部材３２は、断面視Ｙ字上に構成され、排水栓１２２を鍔部１３外周の円周上に沿うようにＹ字状に取り付けられて、排水部材２の挿入部２１内周面に水密部材３２の外周面が当接し、排水栓１２２と排水部材２の間を強固にシールすることができる。また、側面方向で水密部材３２は止水するので、平面方向に止水部材を配置するよりも、パッキン分の高さ方向を低くすることができる為低床に対応できる。平面方向に水密パッキンを配置すると部材間に配置する関係上、上下方向からの当接の応力がある程度必要となる為、ネジ螺合であるとトルク管理が必要であるが、側面方向に水密パッキンを配置すると、側面方向の部材間の隙間を設定するのみで高い止水性を備えることができるので、水密パッキンの止水のためのトルク管理が不要になる。また、水密パッキンの形状をＹ字状にしているので、施工時にＹの端部が挿入部２１の内周に弾性的に当接するので、より良好な水密を保つことができる。
また、本実施例では、Ｙ字状の水密パッキン以外に、Ｏリングも水密部材３２として鍔部１３外周に配置している。このＯリングはフランジ部２１２の上端面から上側方向に飛び出す壁内周に当接するように配置され、良好に止水する。
【００２８】
本実施例の排水口と排水部材２の取付方法又は取付構造は以下の手順で施工される。
まず、浴室に洗い場パンを浴室に設置し、洗い場パンの横に配置される槽体１設置スペース内で槽体１用の排水トラップ２を下水管に接続する。また、予め槽体１の排水口１２に上方から排水栓１２２を差し込み、排水栓１２２の鍔を水密部材３２を介して排水口１２に係止させ、槽体１裏面から鍔部１３の雌ねじを排水栓１２２外周の雄ねじに螺合させて、槽体１に排水栓１２２を取付固定しておく。また、排水トラップ２である排水部材２のフランジ部２１２下方にリング体４を取り付けておく。
そして、図９に示すように、排水トラップ２の挿入部２１の直上に槽体１の排水口１２が位置するように槽体１を浴室の洗い場パンの横に設置する。そして、施工者が槽体１の上方から先端が鉤状になっている棒状の治具を排水栓１２２内に差し込み、槽体１の排水口１２直下に位置している排水トラップ２の内部に治具を引っかける。そして、そのまま施工者が治具を介して排水トラップ２を上方に引き上げる（引き寄せる）と、図１０に示すように、排水トラップ２の挿入部２１に取り付けられたリング体４の傾斜面４１が、排水栓１２２の鍔部１３に当接し、リング体４のコ字状の上部分が傾斜面４１に沿って拡径することとなる。そのまま排水トラップ２を引き上げると、リング体４の上部が鍔部１３を通過し、通過しきるとリング体４の上部が縮径する。そうすると、図１１に示すように、排水栓１２２の鍔部１３と挿入部２１のフランジ部２１２が対峙した形でリング体４により挟持することができる。また、鍔部１３の外周と挿入部２１の内周の間は水密パッキンにより水密化されている。この状態において排水口１２に取り付けられた排水栓１２２と排水部材２である排水トラップ２は強固且つ水密的に接続されることとなる。
また、この施工完了時には、鍔部１３に構成した抜け止めツメ１３３が排水トラップ２の挿入部２１内周に構成したリブに係合するので、仮に接続手段が解除されたとしても排水トラップ２が脱落するようなことがない。
そして、施工者は治具を排水栓１２２より取り出し、遠隔操作式排水栓装置の施工を行う。図１２に示すように、遠隔操作式排水栓装置のレリースワイヤ６を排水トラップ２を介して排水口１２より引き上げ、ワイヤー受け部材を接続する。当該ワイヤー受け部材を排水栓１２２に取付けると、レリースワイヤ６の端部が排水栓１２２の中心部に配置することができ、そのままレリースワイヤ６の端部に遠隔操作式排水栓装置の弁体を取り付ける。このようにして施工は完了する。
【００２９】
また、上記実施例の排水口と排水部材の取付方法又は取付構造は、以下のような排水の流れとなる。
洗い場パン上に排水が発生した場合には、洗い場の開口から洗い場パンの排水装置内に排水され、排水装置内の排水は排水管を介して最終的には下水管へと排水される。
槽体１内に貯水した排水を排水する際には、排水栓１２２に着座している弁体を遠隔的に開口させると排水口１２が開口し、排水栓１２２、排水口１２を介して槽体１外へと排水される。槽体１外へと排水された排水は、排水部材２の挿入部２１から排水部材２内に流入し、排水トラップ２である排水部材２の封水下限壁２４を通過し、封水上限壁２３を乗り越えて、排水部材２の排出口２５より排水トラップ２外へと排水され、最終的には下水管へと排水される。また、排水部材２が排水トラップ２であるので、下水からの臭気や害虫が室内側へと逆流することはない。
【実施例４】
【００３０】
以下に第四実施例の排水口と排水部材の取付方法及び取付構造の実施例を、図面を参照しつつ説明する。
本実施例の排水口と排水部材の取付方法又は取付構造は、浴室の浴槽用排水トラップに使用される。
本発明が採用される浴室は、図１３乃至図１５に示すように、槽体１と、洗い場パンと、から構成され、洗い場パンは槽体１の横に載置されている。洗い場パンは、底部に開口を構成し、当該開口にトラップ機能を有した排水装置を取付ているから、洗い場上に発生した排水は洗い場パンの開口より排水装置へと排水され、最終的には下水管へと排水される。
また、この浴室に採用される本発明の排水口と排水部材の取付方法又は取付構造は、槽体１と、排水口１２と、排水栓１２２と、排水部材２である排水トラップ２と、係合爪部５１を備えたボタン部５と、水密部材３２と、から構成されている。
槽体１は、箱体であって、底部に後述する排水口１２を開口している。尚、本実施例では当該槽体１を浴室の浴槽として使用される。
排水口１２は、槽体１底部に開口された孔であって、槽体１内に貯水された排水を槽体１外へと排水するための開口である。
排水栓１２２は、排水口１２に取り付けられる筒体状の部材であって、上端に外側方向に向かって飛び出す鍔が構成され、更に筒体の外周には雄ねじを螺設して構成する。また、排水栓１２２の下方には、外側方向に向かって構成される鍔部１３が一体的に構成される。
排水部材２としての排水トラップ２は、内部に封水と呼ばれる排水の一部を貯水し、下水からの臭気や害虫を室内側へと逆流させないように配置する部材である。この排水トラップ２は、箱体形状であって、上面に前記排水栓１２２が挿入され尚かつ排水が排水トラップ２内に流入するための挿入部２１と、挿入部２１に開口された開口部２１３を構成している。
挿入部２１は円形状の孔であって、前記排水栓１２２が挿入され、側面には開口部２１３が開口している。この開口部２１３は、後述する係合爪部５１を有したボタン部５が配置されている。
また、排水トラップ２は、内部に封水を貯水するために、底面を壁状に隆起させて構成した封水上限壁２３と、挿入部２１から壁状に垂下して構成する封水下限壁２４を構成する。この封水上限壁２３と封水下限壁２４によって封水は形成され、当該封水により下水からの臭気や害虫を室内側へと逆流させない。また、箱体の封水下限壁２４より下流側面には、排水トラップ２内の排水を排水トラップ２外へと排水するための排出口２５を構成している。また、この排出口２５には排水管が接続され、この排水管は最終的には下水管へと配管される。
ボタン部５は、前記挿入部２１の側面に開口した開口部２１３に軸着される部材であり、側面視逆Ｔ字状であって、下端部分は係合爪部５１を構成している。材質は金属製や合成樹脂製が望ましいが、本実施例では合成樹脂製を採用している。また、ボタン部５は常時板バネなどの弾発部材により付勢されており、ボタン部５の係合爪部５１は常時挿入部２１の中心軸方向に飛び出すよう開口部２１３に軸着している。係合爪部５１は、下方向かって傾斜する傾斜面５２を備える。
また、係合爪部５１は、排水栓１２２が挿入部２１に挿入された際には、前記排水栓１２２の鍔部１３に係合する。
係合爪部５１は排水栓１２２が挿入部２１に挿入された際には、まず排水栓１２２の下端が係合爪部５１の傾斜面５２に当接し、当該当接の応力により付勢の応力に抗して外側方向に軸回転する。また、排水栓１２２の鍔部１３が係合爪部５１を通過すると、係合爪部５１の外側方向の当接の応力より開放されて、係合爪部５１の付勢力により挿入部２１の中心方向に軸回転する。そうすると、当該係合爪部５１が排水栓１２２の鍔部１３に係止する。また、この排水栓１２２と排水部材２の接続を解除する際は、係合爪部５１が構成されているボタン部５を押し操作すると、付勢力に抗して軸回転し、ボタン部５に連接している係合爪部５１が外側方向に移動し、排水栓１２２の鍔部１３との係合が解除される。そうすると、排水栓１２２と排水部材２の接続が解除される為、簡単に接続解除ができる。
水密部材３２は、排水栓１２２と排水部材２間を水密的に封止する部材であって、材質は軟質のゴム等から構成される。また、当該水密部材３２は、断面視Ｙ字上に構成され、排水栓１２２を鍔部１３外周の円周上に沿うようにＹ字状に取り付けられて、排水部材２の挿入部２１内周面に水密部材３２の外周面が当接し、排水栓１２２と排水部材２の間を強固にシールすることができる。また、側面方向で水密部材３２は止水するので、平面方向に止水部材を配置するよりも、パッキン分の高さ方向を低くすることができる為低床に対応できる。平面方向に水密パッキンを配置すると部材間に配置する関係上、上下方向からの当接の応力がある程度必要となる為、ネジ螺合であるとトルク管理が必要であるが、側面方向に水密パッキンを配置すると、側面方向の部材間の隙間を設定するのみで高い止水性を備えることができるので、水密パッキンの止水のためのトルク管理が不要になる。また、水密パッキンの形状をＹ字状にしているので、施工時にＹの端部が挿入部２１の内周に弾性的に当接するので、より良好な水密を保つことができる。
【００３１】
本実施例の排水口と排水部材２の取付方法又は取付構造は以下の手順で施工される。
まず、浴室に洗い場パンを浴室に設置し、洗い場パンの横に配置される槽体１設置スペース内で槽体１用の排水トラップ２を下水管に接続する。また、予め槽体１の排水口１２に上方から排水栓１２２を差し込み、排水栓１２２の鍔を水密部材を介して排水口１２に係止させ、槽体１裏面からナットを排水栓１２２外周の雄ねじに螺合させて、槽体１に排水栓１２２を取付固定しておく。
そして、図１３に示すように、排水トラップ２の挿入部２１の直上に槽体１の排水口１２が位置するように槽体１を浴室の洗い場パンの横に設置する。そして、施工者が槽体１の上方から先端が鉤状になっている棒状の治具を排水栓１２２内に差し込み、槽体１の排水口１２直下に位置している排水トラップ２の内部に治具を引っかける。そして、そのまま施工者が治具を介して排水トラップ２を上方に引き上げると、排水トラップ２の挿入部２１に排水栓１２２が挿入され、図１４に示すように、排水栓１２２の下端が挿入部２１側面に構成された開口部２１３のボタン部５に連設された係合爪部５１の傾斜面５２に当接し、当該当接の応力により付勢の応力に抗して外側方向に軸回転する。また、排水栓１２２の鍔部１３が係合爪部５１を通過すると、図１５に示すように、係合爪部５１の外側方向の当接の応力より開放されて、係合爪部５１の付勢力により挿入部２１の中心方向に軸回転する。そうすると、当該係合爪部５１が排水栓１２２の鍔部１３に係止する。この係合により排水トラップ２は排水栓１２２に係止接続される。そして施工者は治具を排水栓１２２より取り出すことで施工は完了する。
また、メンテナンスや修理等で排水栓１２２と排水部材２の接続を解除する際には、係合爪部５１が構成されているボタン部５を押し操作すると、付勢力に抗して軸回転し、ボタン部５に連接している係合爪部５１が外側方向に移動し、排水栓１２２の鍔部１３との係合が解除される。そうすると、排水栓１２２と排水部材２の接続が解除される為、簡単に接続解除ができる。
【００３２】
また、上記実施例の排水口と排水部材２の取付方法又は取付構造は、以下のような排水の流れとなる。
洗い場パン上に排水が発生した場合には、洗い場の開口から洗い場パンの排水装置内に排水され、排水装置内の排水は排水管を介して最終的には下水管へと排水される。
槽体１内に貯水した排水を排水する際には、排水栓１２２に着座している弁体を遠隔的に開口させると排水口１２が開口し、排水栓１２２、排水口１２を介して槽体１外へと排水される。槽体１外へと排水された排水は、排水部材２の挿入部２１から係止部２２を介して排水部材２内に流入し、排水トラップ２である排水部材２の封水下限壁２４を通過し、封水上限壁２３を乗り越えて、排水部材２の排出口２５より排水トラップ２外へと排水され、最終的には下水管へと排水される。また、排水部材２が排水トラップ２であるので、下水からの臭気や害虫が室内側へと逆流することはない。
【００３３】
本発明は前記した実施例のほか、特許請求の範囲を越えない範囲で適宜変更は可能である。
前記実施例１では排水栓１２２に切り欠き部１２３、挿入部２１に係止部２２を構成しているが、逆に排水栓１２２に係止部２２、挿入部２１に切り欠き部１２３を構成しても構わない。
また、前記実施例では排水部材２を排水トラップ２としているが、これは排水トラップ２に限定するものではなく、例えばエルボ状の排水エルボ部材であったり、各種排水装置であったり、槽体１裏からビス等で取り付けるフランジレス排水栓などでもかまわない。
【符号の説明】
【００３４】
１      槽体
１２    排水口
１２２  排水栓
１２３  切り欠き部
１３    鍔部
１３３  抜け止めツメ
２      排水部材（排水トラップ）
２１    挿入部
２１２  フランジ部
２１３  開口部
２２    係止部
２３    封水上限壁
２４    封水下限壁
２５    排出口
３１    ホットメルト剤
３２    水密部材
４      リング体
４１    傾斜面
５      ボタン部
５１    係合爪部
５２    傾斜面
６      レリースワイヤ
７      抜け止めストッパー
【図１】
2015068124.tif 000003
【図２】
2015068124.tif 000004
【図３】
2015068124.tif 000005
【図４】
2015068124.tif 000006
【図５】
2015068124.tif 000007
【図６】
2015068124.tif 000008
【図７】
2015068124.tif 000009
【図８】
2015068124.tif 000010
【図９】
2015068124.tif 000011
【図１０】
2015068124.tif 000012
【図１１】
2015068124.tif 000013
【図１２】
2015068124.tif 000014
【図１３】
2015068124.tif 000015
【図１４】
2015068124.tif 000016
【図１５】
2015068124.tif 000017
【図１６】
2015068124.tif 000018